(57)【要約】【課題】  車体パネルに対して内装部品を強固に取り付けることができ、車室内側への飛び出しを防止し、かつサービス交換時等、容易に車体パネルから取り外すことができる内装部品の取付構造を提供する。【解決手段】  内装部品（センターピラートリム）１０の裏面にクリップ取付座２０をエンボス状に立設し、クリップ３０を保持して、車体パネル４０のクリップ固定孔４１に対して、クリップ３０を嵌合することで、内装部品１０を車体パネル４０に取り付ける。また、取り外す際は、内装部品１０を車体パネル４０の取付面と平行する方向にスライドさせ、クリップ３０と取付座２０とを分離させることで、車体パネル４０から内装部品１０を簡単に取り外す。【選択図】  図６
2005119390.tif 000002
【特許請求の範囲】
【請求項１】
車体パネル（４０）の室内面に複数の取付ポイントで固定される内装部品（１０）の取付構造であって、上記取付ポイントの少なくとも１箇所のクリップ取付座（２０）には、車体パネル（４０）に対して固定されるクリップ（３０）が着脱自在に装着され、車体パネル（４０）の取付面に対して直交する方向から内装部品（１０）を近接させ、車体パネル（４０）のクリップ固定孔（４１）に対してクリップ（３０）を嵌着し、内装部品（１０）の取り付けを完了させるとともに、車体パネル（４０）から内装部品（１０）を取り外す際は、内装部品（１０）を車体パネル（４０）の取付面と平行方向に移動させ、車体パネル（４０）に固定されたクリップ（３０）とクリップ取付座（２０）とを分離させることで、内装部品（１０）の車体パネル（４０）からの取り外しを可能としたことを特徴とする内装部品の取付構造。
【請求項２】
前記車体パネル（４０）のクリップ固定孔（４１）の周囲は、内装部品（１０）側に向けて突出するエンボス凸部（４２）が設けられていることを特徴とする請求項１に記載の内装部品の取付構造。
【請求項３】
前記内装部品（１０）の裏面に形成されるクリップ取付座（２０）には、前記クリップ（３０）の取外し軌跡方向に沿う補強リブ（２５）が設けられていることを特徴とする請求項１又は２に記載の内装部品の取付構造。
【請求項４】
前記内装部品（１０）は、上下方向に沿って複数の取付ポイントが配設されるように、車体パネル（４０）に取り付けられるとともに、最上位の取付ポイントには、上方に開口を有するクリップ取付座（２０）が設けられていることを特徴とする請求項１乃至３のいずれかに記載の内装部品の取付構造。
【発明の詳細な説明】
【技術分野】
【０００１】
本発明は、車体パネルの室内面に装着される内装部品の取付構造に係り、特に、車体パネルに対する強固な取付強度が確保されるとともに、サービス交換時等には、車体パネルから簡単に取り外すことができる内装部品の取付構造に関する。
【背景技術】
【０００２】
例えば、従来から、乗員の保護を図るために、ステアリングホイールやインストルメントパネル等にエアバッグを内蔵する構成が採用されているが、最近では、車両の側方からの衝撃に対しても乗員を保護できるように、車両のルーフ側部に前後方向に沿って装備されるカーテン式エアバッグを装備した車種も多用される傾向にある。
【０００３】
このものは、図１１に示すように、ルーフトリム１の側縁部１ａの内側にエアバッグ２（図中斜線部で示す）が内蔵され、このエアバッグ２は図示しないルーフパネルに取り付けられている。
【０００４】
ところで、図１２は、上記エアバッグ２の下方側に取り付けられるピラートリム３の外観図であり、このピラートリム３の取付構造としては、クリップを利用してワンタッチで簡単に取り付けられるが、エアバッグ２を装備した場合、エアバッグ２の展開力に対してクリップの嵌合力が耐えられず、車体側から外れるという恐れがあるため、図１３に示すように、ピラートリム３に裏面側に向けてエンボス状の取付部３ａを形成し、ボルト４を取付孔３ｂを通してピラーパネル５の取付孔５ａ内に締付け固定して、強固な取り付けを図るようにしている。
【０００５】
そして、ピラートリム３の取付部３ａの開口３ｃにオーナメントキャップ６を嵌着し、ボルト４の頭部を隠して体裁を整えるとともに、更に、ルーフトリム１とピラートリム３との合わせ部分は、ルーフパネル７に取り付けられているエアバッグ２を覆うルーフトリム１の表面にピラートリム３の上端末３ｄを当接シールさせている（例えば、特許文献１参照。）。
【０００６】
【特許文献１】特開２００１−３１０６９９号公報（第２頁、図７乃至図９）
【発明の開示】
【発明が解決しようとする課題】
【０００７】
このように、従来では、エアバッグ２をルーフ部に配設して、その下方側に取り付けられるエアバッグ仕様のピラートリム３は、エアバッグ２の展開力に耐え得る強度を確保するために、ボルト４による締結構造を採用している。従って、取付作業が面倒であるとともに、ボルト４の頭部をオーナメントキャップ６により被覆するため、このオーナメントキャップ６が外観上の違和感を与え、外観意匠性を低下させるという問題点が指摘されている。
【０００８】
更に、エアバッグ２の有無仕様において、それぞれピラートリム３の形状が異なるため、成形金型設備が嵩むという不具合があり、また、エアバッグ仕様のピラートリム３は、ボルト４の締結構造であるため、サービス交換時等、車体パネルからピラートリム３を取り外す作業が非常に面倒であり、サービス交換時の作業性に劣るという欠点が指摘されている。
【０００９】
この発明は、このような事情に鑑みてなされたもので、ルーフ部の側部に車両の前後方向に沿って装備されるカーテン式エアバッグの下方側に取り付けられるピラートリムに代表される内装部品の取付構造であって、ボルト締結構造を廃止することにより、取付作業性を高め、意匠的にもシンプルな外観を付与でき、しかも、エアバッグの作動時における展開方向に過度の外力が加わっても、内装部品が車体パネルから外れることがなく、内装部品の取付強度を高め、しかも、サービス交換時等において、車体パネルからの取外し作業を簡単に行なうことができる内装部品の取付構造を提供することを目的としている。
【課題を解決するための手段】
【００１０】
上記目的を達成するために、本発明は、車体パネルの室内面に複数の取付ポイントで固定される内装部品の取付構造であって、上記取付ポイントの少なくとも１箇所のクリップ取付座には、車体パネルに対して固定されるクリップが着脱自在に装着され、車体パネルの取付面に対して直交する方向から内装部品を近接させ、車体パネルのクリップ固定孔に対してクリップを嵌着し、内装部品の取り付けを完了させるとともに、車体パネルから内装部品を取り外す際は、内装部品を車体パネルの取付面と平行方向に移動させ、車体パネルに固定されたクリップとクリップ取付座とを分離させることで、内装部品の車体パネルからの取り外しを可能としたことを特徴とする。
【００１１】
ここで、内装部品としては、車体パネルに対して複数の取付ポイント毎にクリップを介して取り付けられる構造のものであれば、フロントピラートリム、センターピラートリム（アッパー、ロア）、リヤピラートリム、ドアトリム、リヤサイドトリム、ラゲージサイドトリム等、内装部品全般に適用できる。
【００１２】
また、本発明構造で使用するクリップは、車体パネルに対して着脱自在に嵌着される汎用クリップと異なり、車体パネルのクリップ固定孔に対して車体パネルの取付面と直交する方向から挿入する際は、爪片が撓み変形して嵌着できるが、一旦嵌着した後は、爪片が原形状に復帰し、挿入方向と反対方向にクリップを抜き去るための引き抜き力を加えても、車体パネルのクリップ固定孔からクリップが外れない嵌合力を大きくしたパネル固定タイプのクリップを使用する。
【００１３】
従って、内装部品の裏面にエンボス状に立設されたクリップ取付座のクリップ着座部分にクリップを差し込み、クリップを保持するとともに、このクリップを車体パネルのクリップ固定孔に挿入し、嵌合させれば、内装部品に車体パネルから外れる方向に外力が加わっても内装部品が脱落することがない。一方、内装部品を車体パネルの取付面方向に沿ってスライド操作すれば、車体パネルに固定されているクリップがクリップ取付座から抜けることにより、車体パネルから内装部品を簡単に取り外すことができる。
【００１４】
更に、本発明の好ましい実施の態様は、前記車体パネルのクリップ固定孔の周囲は、内装部品側に向けて突出するエンボス凸部が設けられていることを特徴とする。
【００１５】
そして、この実施態様によれば、クリップ固定孔の周囲にエンボス凸部が設けられており、車体パネルと内装部品との連結部分が室内側に近接しているため、内装部品を車体パネルから取り外す作業がやり易くなる。
【００１６】
また、本発明の好ましい実施の態様は、前記内装部品の裏面に形成されるクリップ取付座には、クリップの取外し軌跡方向に沿う補強リブが設けられていることを特徴とする。
【００１７】
そして、この実施態様によれば、クリップ取付座に設けられている補強リブにより、クリップ取付座の剛性が強化されているため、内装部品に外力が加わっても、クリップ取付座が破断することがない。また、この補強リブの側壁はガイド機能を果たすため、クリップをクリップ取付座に装着する作業及びクリップ取付座からクリップを取り外す作業が円滑に行なえる。
【００１８】
更に、本発明の好ましい実施の態様は、前記内装部品は、上下方向に沿って複数の取付ポイントが配設されるように、車体パネルに取り付けられるとともに、最上位の取付ポイントには、上方に開口を有するクリップ取付座が設けられていることを特徴とする。
【００１９】
そして、この実施の態様によれば、内装部品を車体パネルから取り外す際の内装部品の取外し作業を円滑に行なうことが可能となる。
【発明の効果】
【００２０】
以上説明した通り、本発明に係る内装部品の取付構造は、車体パネルに対して固定された嵌合力を大きくしたクリップを使用することにより、従来のボルト締め構造に比べ、車体パネルへの取り付けが簡単に行なえるとともに、従来のボルト締め構造で必要としたオーナメントキャップを廃止でき、シンプルな外観が得られ、かつエアバッグの有無にかかわらず内装部品の形状を統一できることから、成形金型設備を簡素化できるという効果を有する。
【００２１】
更に、本発明に係る内装部品の取付構造は、パネルに固定される嵌合力を大きくしたクリップを使用することにより、強固な取付強度が得られる一方、車体パネルから内装部品を取り外すには、一部の汎用クリップを車体パネルから取り外し、その後、内装部品を車体パネルの取付面と平行方向に移動させるだけで、パネルに固定されているクリップからクリップ取付座を簡単に取り外すことができるため、サービス交換時等における作業性を高めることができるという効果を有する。
【発明を実施するための最良の形態】
【００２２】
以下、本発明に係る内装部品の取付構造をセンターピラートリムの取付構造に適用した実施例について、添付図面を参照しながら詳細に説明する。
【実施例１】
【００２３】
図１乃至図７は本発明の第１実施例を示すもので、図１はセンターピラートリムの上半部分を示す正面図、図２は同センターピラートリムの上部を示す裏面側からみた斜視図、図３は同センターピラートリムを車体パネルに取り付ける取付構造を示す説明図、図４は同センターピラートリムを車体パネルに取り付けた状態を示す断面図、図５は同センターピラートリムを車体パネルに取り付ける状態を示す説明図、図６，図７は同センターピラートリムを車体パネルから取り外す状態を示す断面図並びに斜視図である。尚、センターピラートリムの取付対象は、従来例で説明したカーテン式エアバッグ２の下方側に位置するセンターピラーパネルとなる。
【００２４】
図１，図２において、センターピラートリム１０の取付構造について説明する。
【００２５】
まず、センターピラートリム１０は、ＰＰ（ポリプロピレン）樹脂の射出成形体から構成され、センターピラートリム１０の上端側裏面には、上下方向に延びるプレート状の当てリブ１１が複数枚立設され、図２では図示しない車体パネルに当接し、形状保持機能をもつ。また、センターピラートリム１０の幅方向に沿って延びる補強リブ１２により保形性を維持している。そして、当てリブ１１、補強リブ１２の間にクリップ取付座２０がセンターピラートリム１０の裏面からパネル側に向けてエンボス状に突設形成されている。
【００２６】
このクリップ取付座２０は、この第１実施例では、車体パネルに一度嵌着された後は車体パネルからの取り外しが困難となるタイプのクリップ３０を着脱自在に装着できる機能を有するもので、クリップ３０を着座する着座プレート２１を備えている。この着座プレート２１は、縦壁部２２によりセンターピラートリム１０の裏面から所定高さ突出するように設定され、着座プレート２１には、クリップ３０を保持する略円形状のクリップ保持孔２３がガイド溝部２４と連接して形成されている。
【００２７】
また、クリップ３０は、矩形状のヘッドフランジ３１とセンターフランジ３２との間に首部３３が位置し、この首部３３がクリップ取付座２０におけるガイド溝部２４を通してクリップ保持孔２３内に挿入される。また、センターフランジ３２の一面（パネル対向面）には、爪片３４が一体形成されている。この爪片３４は、車体パネル４０のクリップ固定孔４１内に挿入する際は、内方に向けて撓み変形して、クリップ３０の挿入を可能にし、一旦車体パネル４０のクリップ固定孔４１に固定した後は、爪片３４が原形に復帰し、外れ方向（挿入方向と反対方向）に外力を加えても、内方に向けてその撓み変形が阻止される形状に設定されている。
【００２８】
そして、図３に示すように、車体パネル（センターピラーパネル）４０に対してセンターピラートリム１０を取り付けるには、センターピラートリム１０に対して上述したクリップ３０の他に、通常の汎用クリップを図示しないクリップ取付座に装着し、車体パネル４０の各取付ポイント毎にクリップを介して車体パネル４０の室内面にセンターピラートリム１０を装着する。この第１実施例では、クリップ３０をセンターピラートリム１０のクリップ取付座２０に保持した状態で図３中矢印方向に押圧することで、図４に示すように、車体パネル４０にセンターピラートリム１０が取り付けられる。尚、図３においては、センターピラートリム１０の上部側のみ示しているが、センターピラートリム１０の中央部及び下部については、一般のクリップを介して車体パネル４０にセンターピラートリム１０が適宜クリアランスを介して着脱可能に取り付けられている。
【００２９】
このように、センターピラートリム１０のクリップ取付座２０に装着したクリップ３０を介して車体パネル４０に取り付けた場合、例えば、カーテン式エアバッグ仕様の車種においては、エアバッグの展開時には、図４中Ｆ方向に過度の外力が加わるが、車体パネル４０に対してクリップ３０が強固に嵌合しているため、車体パネル４０からクリップ３０が脱落することがなく、そのため、センターピラートリム１０が室内側に飛び出すことがない。
【００３０】
次に、センターピラートリム１０を車体パネル４０に取り付けるには、図５に示すように、センターピラートリム１０の中央部や下部のクリップ取付座に装着した一般のクリップ（共に図示せず）を車体パネル４０のクリップ孔に嵌着するとともに、センターピラートリム１０の上端側裏面に設けたクリップ取付座２０に装着したクリップ３０の爪片３４を車体パネル４０のクリップ固定孔４１に矢印で示すように装着すれば、ワンタッチでセンターピラートリム１０を車体パネル４０に取り付けることができ、従来のボルト締結構造に比べ、車体パネル４０への取付作業性を高めることができるとともに、強固な取付強度が得られる。
【００３１】
また、エアバッグの有り仕様、無し仕様、いずれにも共用できるため、センターピラートリム１０の型費を低減化できるとともに、オーナメントキャップを廃止できることから、シンプルな外観を付与でき、外観意匠性を高めることができる。
【００３２】
加えて、サービス交換時等、メンテナンス時においては、図６，図７に示すように、センターピラートリム１０の図示しない一般の取付ポイントにおいて、車体パネル４０から取り外した後、図中矢印方向にセンターピラートリム１０を車体パネル４０の取付面と平行方向にスライド操作することで、車体パネル４０に固定されているクリップ３０とクリップ取付座２０との係合を解除し、センターピラートリム１０を簡単に取り外すことができる。
【００３３】
従って、メンテナンス時等、センターピラートリム１０の取外し作業を簡単かつ円滑に行なうことができるという利点がある。このとき、車体パネル４０のクリップ固定孔４１の周囲にエンボス凸部４２を形成しておけば、センターピラートリム１０の取外し作業をより円滑に行なうことができる。
【実施例２】
【００３４】
第２実施例は、センターピラートリム１０の裏面にクリップ取付座２０を一体形成し、このクリップ取付座２０にクリップ３０を介して車体パネル４０に取り付ける構成であり、第１実施例と同一であるが、クリップ取付座２０の剛性を強化することで、例えば、カーテン式エアバッグの動作時、クリップ取付座２０の破損によるクリップ３０とクリップ取付座２０との分離に伴なうセンターピラートリム１０の室内側への飛び出しをより確実に防止できる。
【００３５】
例えば、図８，図９に示すように、クリップ取付座２０のガイド溝部２４並びにクリップ保持孔２３周りに補強リブ２５が形成されており、また、クリップ３０におけるヘッドフランジ３１の両側には、上記補強リブ２５の側壁に沿ってガイドされる下向きのガイド片３５が形成されている。
【００３６】
従って、センターピラートリム１０を車体パネル４０に対してクリップ３０を使用して取り付けた場合、カーテン式エアバッグの展開動作等により、センターピラートリム１０に室内側へ飛び出す方向に沿う過度の外力が加わっても、クリップ３０が車体パネル４０から外れることがないとともに、クリップ取付座２０においても、補強リブ２５によりクリップ取付座２０の剛性がアップしているため、クリップ取付座２０に断裂等の破損が生じない。従って、クリップ３０とクリップ取付座２０との分離を伴なうことがないため、センターピラートリム１０の取付強度をより強固に維持できる。
【００３７】
また、補強リブ２５は、サービス交換時等、センターピラートリム１０を車体パネル４０から強制的に取り外す際、クリップ取付座２０に設けた補強リブ２５の側壁がガイド機能を果たし、クリップ取付座２０とクリップ３０との分離を円滑に行なうことができ、センターピラートリム１０の取外し作業をより円滑に行なうことができるという付随的な利点がある。
【００３８】
次いで、図１０は、第２実施例の変形例を示すもので、図１０に示すように、クリップ取付座２０に付設する補強リブ２５を着座プレート２１の両面に設ければ、クリップ取付座２０の剛性をより強化することができる。そして、この場合には、クリップ３０のセンターフランジ３２の両側にヘッドフランジ３１側に向かうガイド片３６を設ければ良い。
【産業上の利用可能性】
【００３９】
本発明に係る内装部品の実施例として、センターピラートリム１０を適用して説明したが、フロントピラートリム、リヤピラートリム等の各種ピラートリム類以外にも、ドアトリム、リヤサイドトリム、ラゲージサイドトリム等の内装部品全般に適用できる。
【図面の簡単な説明】
【００４０】
【図１】本発明を適用したセンターピラートリムを示す正面図である。
【図２】図１に示すセンターピラートリムの上部側裏面を示す斜視図である。
【図３】図１に示すセンターピラートリムを車体パネルに取り付ける状態を示す説明図である。
【図４】図１に示すセンターピラートリムを車体パネルに取り付けた状態を示す断面図である。
【図５】図１に示すセンターピラートリムを車体パネルに取り付ける状態を示す説明図である。
【図６】図１に示すセンターピラートリムを車体パネルから取り外した状態を示す断面図である。
【図７】図１に示すセンターピラートリムを車体パネルから取り付ける状態を示す斜視図である。
【図８】本発明に係る内装部品の第２実施例を示すクリップ取付座の平面図である。
【図９】図８に示すクリップ取付座にクリップを装着した状態を示す断面図である。
【図１０】本発明に係る内装部品の取付構造における第２実施例の変形例に使用するクリップ取付座並びにクリップを示す断面図である。
【図１１】カーテン式エアバッグの配置を示すルーフトリムの平面図である。
【図１２】従来のピラートリムを示す正面図である。
【図１３】従来のピラートリムの取付構造を示す断面図である。
【符号の説明】
【００４１】
１０  センターピラートリム
１１  当てリブ
１２  補強リブ
２０  クリップ取付座
２１  着座プレート
２２  縦壁部
２３  クリップ保持孔
２４  ガイド溝部
２５  補強リブ
３０  クリップ
３１  ヘッドフランジ
３２  センターフランジ
３３  首部
３４  爪片
３５，３６  ガイド片
４０  車体パネル（センターピラーパネル）
４１  クリップ固定孔
４２  凸部
【図１】
2005119390.tif 000003
【図２】
2005119390.tif 000004
【図３】
2005119390.tif 000005
【図４】
2005119390.tif 000006
【図５】
2005119390.tif 000007
【図６】
2005119390.tif 000008
【図７】
2005119390.tif 000009
【図８】
2005119390.tif 000010
【図９】
2005119390.tif 000011
【図１０】
2005119390.tif 000012
【図１１】
2005119390.tif 000013
【図１２】
2005119390.tif 000014
【図１３】
2005119390.tif 000015